(57)【特許請求の範囲】
【請求項１】
ストロボ撮影時にメイン発光を行うのに先立ってプリ発光を行う閃光装置であって、
電気エネルギーを蓄える主コンデンサと、
前記主コンデンサに蓄えられた電気エネルギーを用いて発光する複数の発光手段と、
前記発光手段のプリ発光時のプリ発光光量を制御する発光制御手段と、を有し、
前記発光制御手段は、前記主コンデンサの充電電圧がメイン発光を行うために必要とされる充電電圧未満とならないように、プリ発光時に発光させる前記発光手段の数が増加するのに応じて、発光させる前記発光手段のプリ発光時のプリ発光光量を低下させることを特徴とする閃光装置。
【請求項２】
前記発光制御手段は、プリ発光時に発光させる前記発光手段の数が単数の場合、前記発光手段を単数で発光させるときのフル発光光量の１／Ｎの光量をプリ発光光量とし、プリ発光時に発光させる前記発光手段の数が複数の場合、発光させる前記発光手段のプリ発光光量を合わせた光量が、前記フル発光光量の１／Ｎの光量となるようにすることを特徴とする請求項１に記載の閃光装置。
【請求項３】
前記発光制御手段は、プリ発光時に発光させる前記発光手段の数が単数の場合、前記発光手段を複数で発光させるときのそれぞれのフル発光光量を合わせた光量の１／Ｎの光量をプリ発光光量とし、プリ発光時に発光させる前記発光手段の数が複数の場合、発光させる前記発光手段のプリ発光光量を合わせた光量が、前記発光手段を単数で発光させるときのフル発光光量の１／Ｎの光量となるようにすることを特徴とする請求項１に記載の閃光装置。
【請求項４】
前記発光制御手段は、プリ発光時に発光させる前記発光手段の数が単数の場合、前記発光手段を単数で発光させるときのフル発光光量の１／Ｎの光量をプリ発光光量とし、プリ発光時に発光させる前記発光手段の数が複数の場合、発光させる前記発光手段のプリ発光光量を合わせた光量が、前記発光手段を複数で発光させるときのそれぞれのフル発光光量を合わせた光量の１／Ｎの光量となるようにすることを特徴とする請求項１に記載の閃光装置。
【請求項５】
前記発光制御手段は、プリ発光時に発光させる前記発光手段の数が単数の場合、前記発光手段を複数で発光させるときのそれぞれのフル発光光量を合わせた光量の１／Ｎの光量をプリ発光光量とし、プリ発光時に発光させる前記発光手段の数が複数の場合、発光させる前記発光手段のプリ発光光量を合わせた光量が、前記フル発光光量を合わせた光量の１／Ｎの光量となるようにすることを特徴とする請求項１に記載の閃光装置。
【請求項６】
フル発光は発光時の主コンデンサの電圧状態に応じたフル発光であることを特徴とする請求項２ないし５のいずれか１項に記載の閃光装置。
【請求項７】
フル発光は発光時の主コンデンサの電圧がフル充電状態である時のフル発光であることを特徴とする請求項２ないし５のいずれか１項に記載の閃光装置。
【請求項８】
プリ発光時に発光させる前記発光手段の数が複数の場合、前記発光させる発光手段のプリ発光光量は互いに等しいことを特徴とする請求項１ないし７のいずれか１項に記載の閃光装置。
【請求項９】
ストロボ撮影時にメイン発光を行うのに先立ってプリ発光を行う撮像装置であって、
電気エネルギーを蓄える主コンデンサと、
前記主コンデンサに蓄えられた電気エネルギーを用いて発光する複数の発光手段と、
前記発光手段のプリ発光時のプリ発光光量を制御する発光制御手段と、を有し、
前記発光制御手段は、前記主コンデンサの充電電圧がメイン発光を行うために必要とされる充電電圧未満とならないように、プリ発光時に発光させる前記発光手段の数が増加するのに応じて、発光させる前記発光手段のプリ発光時のプリ発光光量を低下させることを特徴とする撮像装置。
【請求項１０】
同一の主コンデンサに蓄えられた電気エネルギーを用いて発光する複数の発光手段を有し、ストロボ撮影時にメイン発光を行うのに先立ってプリ発光を行う閃光装置の発光制御方法であって、
前記主コンデンサの充電電圧がメイン発光を行うために必要とされる充電電圧未満とならないように、プリ発光時に発光させる前記発光手段の数が増加するのに応じて、発光させる前記発光手段のプリ発光時のプリ発光光量を低下させることを特徴とする閃光装置の発光制御方法。
【発明の詳細な説明】
【０００１】
【発明の属する技術分野】
本発明は複数の発光手段を有する閃光装置、撮像装置及び閃光装置の制御方法に関するものである。
【０００２】
【従来の技術】
従来、特開平９―６１９１３号公報の様に単数放電管を有し、撮影時の露出情報を得る為のプリ発光を行う閃光装置において、プリ発光の光量についての発明が記されている。
【０００３】
プリ発光の光強度はカメラからの通信により、充電電圧、被写体輝度、被写体までの距離に応じて変化させるだけであった。
【０００４】
【発明が解決しようとする課題】
しかしながら、複数放電管を有する閃光装置において、複数の放電管の内１個以上の放電管を撮影に使用する場合、各放電管がカメラからの指示でのみプリ発光の光強度を決定していると、単数放電管を用いる場合と複数放電管を用いる場合では、プリ発光終了後の主コンデンサの充電電圧に差ができてしまい、プリ発光とメイン発光の間隔が短い場合では、メイン発光時の主コンデンサの充電エネルギーが不足してしまう問題が発生する。
【０００５】
図９で説明すると、１ａが単数放電管の場合のプリ発光波形で、１ｂがこのときの主コンデンサの充電電圧の変化である。従来例のまま放電管を２個にした例を図９の２ａ、２ｂ、２ｃに説明する。放電管Ａのプリ発光波形（２ａ）、放電管Ｂのプリ発光波形（２ｂ）の光強度（Ｈ２Ａ、Ｈ２Ｂ）がカメラから指示された通りに、単数放電管の場合のプリ発光強度Ｈ１と同じ光強度の発光であると（Ｈ２Ａ＝Ｈ２Ｂ＝Ｈ１だとすると）、同図２ｃのようにプリ発光により主コンデンサの充電電圧が放電管の発光可能充電電圧（２ｃの点線）よりさがってしまう。
【０００６】
本発明の目的はかかる課題を解決するためになされたもので、主コンデンサの充電電圧が発光手段の発光可能充電電圧より下がらないように維持することのできる閃光装置、撮像装置及び閃光装置の制御方法を提供することである。
【０００７】
【課題を解決するための手段】
上記の課題を解決するために、本発明の閃光装置は、ストロボ撮影時にメイン発光を行うのに先立ってプリ発光を行う閃光装置であって、電気エネルギーを蓄える主コンデンサと、前記主コンデンサに蓄えられた電気エネルギーを用いて発光する複数の発光手段と、前記発光手段のプリ発光時のプリ発光光量を制御する発光制御手段と、を有し、前記発光制御手段は、前記主コンデンサの充電電圧がメイン発光を行うために必要とされる充電電圧未満とならないように、プリ発光時に発光させる前記発光手段の数が増加するのに応じて、発光させる前記発光手段のプリ発光時のプリ発光光量を低下させることを特徴とする。
【０００８】
また、本発明の撮像装置は、ストロボ撮影時にメイン発光を行うのに先立ってプリ発光を行う撮像装置であって、電気エネルギーを蓄える主コンデンサと、前記主コンデンサに蓄えられた電気エネルギーを用いて発光する複数の発光手段と、前記発光手段のプリ発光時のプリ発光光量を制御する発光制御手段と、を有し、前記発光制御手段は、前記主コンデンサの充電電圧がメイン発光を行うために必要とされる充電電圧未満とならないように、プリ発光時に発光させる前記発光手段の数が増加するのに応じて、発光させる前記発光手段のプリ発光時のプリ発光光量を低下させることを特徴とする。
【０００９】
また、本発明の閃光装置の発光制御方法は、同一の主コンデンサに蓄えられた電気エネルギーを用いて発光する複数の発光手段を有し、ストロボ撮影時にメイン発光を行うのに先立ってプリ発光を行う閃光装置の発光制御方法であって、前記主コンデンサの充電電圧がメイン発光を行うために必要とされる充電電圧未満とならないように、プリ発光時に発光させる前記発光手段の数が増加するのに応じて、発光させる前記発光手段のプリ発光時のプリ発光光量を低下させることを特徴とする。
【００１７】
【発明の実施の形態】
（第１の実施の形態）
図１は本発明を１眼レフレックスカメラに適用して実施した閃光装置カメラシステムの主に光学的な構成を説明した横断面図である。
【００１８】
１はカメラ本体であり、この中に光学部品、メカ部品、電気回路、フィルムなどを収納し、写真撮影が行えるようになっている。２は主ミラーで、観察状態と撮影状態に応じて撮影光路へ斜設されあるいは退去される。また主ミラー２はハーフミラーとなっており斜設されているときも、後述する焦点検出光学系に被写体からの光線の約半分を透過させている。３は撮影レンズ１２〜１４の予定結像面に配置されたピント板、４はファインダー光路変更用のペンタプリズム、５はファインダーで、撮影者はこの窓よりピント板３を観察することで、撮影画面を観察することが出来る。６，７は観察画面内の被写体輝度を測定する為の結像レンズと多分割測光センサで、結像レンズ６はペンタプリズム４内の反射光路を介してピント板３と多分割測光センサ７を共役に関係付けている。
【００１９】
図４に撮影画面上の測光エリア分割図を示す。撮影画面はＡ０〜Ａ２２までの２３エリアに分割されている。多分割測光センサ７は、撮影画面と共役に関係付けられたそれぞれのエリアの輝度を測定することが出来る。
【００２０】
図１に戻って、８はシャッター、９は感光部材で、銀塩フィルム等より成っている。主ミラー２は斜設されているときも、被写体からの光線の約半分を透過させている。２５は、サブミラーであり被写体からの光線を下方に折り曲げて、焦点検出ユニット２６の方に導いている。焦点検出ユニット２６内には、２次結像ミラー２７、２次結像レンズ２８、焦点検出ラインセンサ２９等からなっている。２次結像ミラー２７、２次結像レンズ２８により焦点検出光学系を成しており、撮影光学系の２次結像面を焦点検出ラインセンサ２９上に結んでいる。焦点検出ユニット２６は後述の電気回路の処理により、既知の位相差検出法により撮影画面内の被写体の焦点状態を検出し、撮影レンズの焦点調節機構を制御することにより自動焦点検出装置を実現している。この自動焦点検出装置は、図５の撮影画面内のＡ０〜Ａ６の７点の焦点状態を検出するものである。
【００２１】
２３は、フィルム面を測光するための測光レンズであり、２４はフィルム面測光センサである。これらは、露光中にフィルム面に到達した光の拡散反射を利用して露光量を測定し閃光装置の適正光量を得る、いわゆるＴＴＬ調光に使用される。
【００２２】
１０は公知のカメラと撮影レンズとのインターフェイスとなるマウント接点であり、１１はカメラ本体に据え付けられるレンズ鏡筒である。１２〜１４は撮影レンズであり１２は１群レンズで、光軸上を左右に可動することで、撮影画面のピント位置を調整することが出来る。１３は２群レンズで光軸上を左右に可動することで、撮影画面の変倍となり撮影レンズの焦点距離が変更される。１４は３群固定レンズである。１５は撮影レンズ絞りである。
【００２３】
１６はその１群レンズ駆動モータであり、自動焦点調節動作に従って１群レンズを左又は右に移動させることにより自動的にピント位置を調整することが出来る。１７はレンズ絞り駆動モータであり、これにより撮影レンズ絞りを開放にしたり、絞ったりする事が出来る。
【００２４】
１８は外付け閃光装置制御部で、カメラ本体１に取り付けられ、カメラからの信号に従って発光制御を行うものである。１９Ａ，１９Ｂは閃光装置発光部で接続コード３０Ａ，３０Ｂで閃光装置制御部１８と電気的に接続されている。
【００２５】
３１０Ａ，３１０Ｂは放電管で電流エネルギーを発光エネルギーに変換する。２０Ａ，２１Ａと２０Ｂ，２１Ｂは反射板とフレネルであり、それぞれ発光エネルギーを効率良く被写体に向けて集光する役目である。２２はカメラ本体１と外付け閃光装置１８とのインターフェイスとなる公知の閃光装置接点である。放電管３１０Ａの発光した光はフラット発光制御用のセンサ３３３Ａ、積分用センサ３３５Ａで受光される。また放電管３１０Ｂの発光した光はフラット発光制御用のセンサ３３３Ｂ、積分用センサ３３５Ｂで受光される。図１では、本発明を実現するために必要な部材の内、光学メカ部材のみ記しており、その他に電気回路部材が必要となるが、ここでは省略してある。
【００２６】
図２、図３に本発明の一実施の形態における閃光装置カメラシステムの電気回路ブロック図を示してある。図２はカメラ本体側とレンズ側の回路ブロックが示してあり、図３に閃光装置側の回路ブロックが示してあり、それぞれ図１と対応する部材には同じ番号を付している。
【００２７】
まず、図２から説明する。カメラマイコン１００には、焦点検出回路１０５、測光回路１０６、シャッター制御回路１０７、モータ制御回路１０８、フィルム走行検知回路１０９、スイッチセンサ回路１１０、液晶表示回路１１１、フィルム面反射測光回路１１４が接続されている。また、撮影レンズ側とはマウント接点群１０を介して信号の伝達がなされる。さらに閃光装置側とは、閃光装置が直接カメラ本体に取り付けられた状態では、閃光装置接点群２２を介して信号の伝達がなされる。
【００２８】
ラインセンサ２９は前述のようにファインダー上の撮影画面内のＡ０〜Ａ６の７点の焦点状態を検出するためのもので、撮影光学系の２次結像面にペアで各測距点に対応したラインセンサである。焦点検出回路１０５はカメラマイコン１００の信号に従い、これらラインセンサ２９の蓄積制御と読み出し制御を行って、それぞれ光電変換された画素情報をカメラマイコン１００に出力する。カメラマイコン１００はこの情報をＡ／Ｄ変換し周知の位相差検出法による焦点検出を行う。カメラマイコン１００は焦点検出情報により、レンズマイコン１１２と信号のやりとりを行うことによりレンズの焦点調節を行う。
【００２９】
測光回路１０６は画面内の各エリアの輝度信号として、前述したように画面内を複数のエリアに分割した多分割測光センサ７からの出力をカメラマイコン１００に出力する。測光回路１０６は、被写体に向けて閃光装置光をプリ発光していない定常状態とプリ発光しているプリ発光状態と双方の状態で輝度信号を出力し、カメラマイコン１００は輝度信号をＡ／Ｄ変換し、撮影の露出の調節のための絞り値の演算とシャッタースピードの演算、及び露光時の閃光装置メイン発光量の演算を行う。
【００３０】
シャッター制御回路１０７は、カメラマイコン１００からの信号に従って、シャッター先幕（ＭＧ−１）、シャッター後幕（ＭＧ−２）を走行させ、露出動作を担っている。
【００３１】
モータ制御回路１０８は、カメラマイコン１００からの信号に従ってモータを制御することにより、主ミラー２のアップダウン、及びシャッターのチャージ、そしてフィルムの給送を行っている。フィルム走行検知回路１０９は、フィルム給送時にフィルムが１駒分巻き上げられたかを検知し、カメラマイコン１００に信号を送る。
【００３２】
ＳＷ１は不図示のレリーズ釦の第１ストロークでＯＮし、測光、ＡＦを開始するスイッチとなる。ＳＷ２はレリーズ釦の第２ストロークでＯＮし、露光動作を開始するスイッチとなる。ＳＷＦＥＬＫは、不図示のプッシュスイッチでＯＮするスイッチであり、露光動作の前に閃光装置のプリ発光を行って閃光装置光量を決定しロックする動作の始動スイッチである。ＳＷ１，ＳＷ２，ＳＷＦＥＬＫ及びその他不図示のカメラの操作部材からの信号は、スイッチセンサ回路１１０が検知し、カメラマイコン１００に送っている。ＳＷＸは、シャッターの全開にともなってＯＮするスイッチであり、閃光装置側に、露光時メイン発光の発光タイミングを送っている。
【００３３】
液晶表示回路１１１はファインダー内ＬＣＤ４１と不図示のモニタ用ＬＣＤ４２の表示をカメラマイコン１００からの信号に従って制御している。１１４はフィルム面反射測光回路であり、フィルム面測光センサ２４の測光情報をカメラマイコン１００は得ることが出来る。このフィルム面測光センサ２４は、多分割測光センサ７と同様に図４のように画面内を分割しており、撮影画面と共役に関係付けられたそれぞれのエリアの輝度を測定することが出来る。
【００３４】
次にレンズの構成に関して説明を行う。カメラ本体とレンズはレンズマウント接点１０を介して相互に電気的に接続される。このレンズマウント接点１０はレンズ内のフォーカス駆動用モータ１６および、絞り駆動用モータ１７の電源用接点であるＬ０、レンズマイコン１１２の電源用接点であるＬ１、公知のシリアルデータ通信を行う為のクロック用接点Ｌ２、カメラからレンズへのデータ送信用接点Ｌ３、レンズからカメラへのデータ送信用接点Ｌ４、前記モータ用電源に対するモータ用グランド接点であるＬ５、前記レンズマイコン１１２用電源に対するグランド接点であるＬ６で構成されている。
【００３５】
レンズマイコン１１２は、これらのレンズマウント接点１０を介してカメラマイコン１００と接続され、１群レンズ駆動モータ１６及びレンズ絞りモータ１７を動作させ、レンズの焦点調節と絞りを制御している。３５，３６は光検出器とパルス板であり、レンズマイコン１１２がパルス数をカウントすることにより１群レンズの位置情報を得ることが出来、レンズの焦点調節を行ったり、被写体の絶対距離情報をカメラマイコン１００に伝達することが出来る。
【００３６】
次に図３により、閃光装置の構成に関して説明を行う。同図において、３０１は電源である電池、３０２は昇圧手段で、電池電圧を数百Ｖに昇圧する。３０３は主コンデンサであり昇圧手段３０２の出力を充電する。３０４，３０５は主コンデンサの電圧を制御回路としてのマイクロコンピュータ（以下閃光装置マイコン）３３８がモニタするために設けられた分圧抵抗である。閃光装置マイコン３３８は分圧された電圧を内蔵Ａ／Ｄ変換器によりＡ／Ｄ変換することにより主コンデンサ３０３の充電電圧を間接的にモニタし昇圧手段３０２の動作を制御することにより、主コンデンサ３０３の充電電圧を所定の電圧に制御する。
【００３７】
３０８Ａ，３０８Ｂは発光電流を制限する為のコイル、３０９Ａ，３０９Ｂは発光停止時に電流制限コイル３０８Ａ，３０８Ｂに蓄積されたエネルギーを還流する為のダイオード、３１０Ａ，３１０Ｂは発光手段である放電管、３１１Ａ，３１１Ｂは発光開始時に放電管３１０Ａ，３１０Ｂに数千Ｖの高圧を発生させるためのトリガ手段、３０６ＡはＡＮＤゲートで入力は閃光装置マイコン３３８のＴＲＩＧ端子とＳＥＬ＿Ａ端子に接続され、出力はトリガ手段３１１Ａと接続され、３０６ＢはＡＮＤゲートで入力は閃光装置マイコン３３８のＴＲＩＧ端子とＳＥＬ＿Ｂ端子に接続され、出力はトリガ手段３１１Ｂと接続される。
【００３８】
３１２Ａ，３１２Ｂは放電管３１０Ａ，３１０Ｂの発光電流を制御し、放電管の発光開始・停止を制御する為の第１のスイッチング手段である発光制御回路でＩＧＢＴなどのスイッチング素子で構成される。
【００３９】
３３０Ａ，３３０Ｂはデータセレクタで、ＥＮ端子はそれぞれ閃光装置マイコン３３８のＳＥＬ＿Ａ、ＳＥＬ＿Ｂ端子と接続され、ＥＮ端子がＨの時はＸ０，Ｘ１端子に入力される信号に基づいて、Ｄ０〜Ｄ２の入力を選択してＹ端子に出力する。またデータセレクタ３３０Ａ，３３０ＢのＥＮ端子がＬの時はＤ０〜Ｄ２端子に関わらず出力端子ＹはＬを出力する。データセレクタ３３０Ａの出力Ｙは閃光装置マイコン３３８の入力端子ＩＮ＿Ａとスイッチング手段３１２Ａに接続され、データセレクタ３３０Ｂの出力Ｙは閃光装置マイコン３３８の入力端子ＩＮ＿Ｂとスイッチング手段３１２Ｂに接続される。
【００４０】
３３３Ａ，３３５Ａは放電管３１０Ａの光を受光するセンサであるところの受光素子、３３３Ｂ，３３５Ｂは放電管３１０Ｂの光を受光するセンサであるところの受光素子である。３３４Ａ，３３４Ｂ，３３６Ａ，３３６Ｂは受光素子の信号処理、増幅する受光回路、３３７Ａ，３３７Ｂは受光回路３３６Ａ，３３６Ｂの出力を積分する積分回路、３３１Ａ，３３１Ｂ，３３２Ａ，３３２Ｂはコンパレータである。３３８は閃光装置全体の動作を制御するマイコン、３３９は不図示のカメラとの接続端子であり、ＣＬＫ（カメラ側Ｓ０端子），ＤＩ（カメラ側Ｓ１），ＤＯ（カメラ側Ｓ２）端子を用いて公知のシリアル通信を行う。３４０は記憶手段であるＥＥＰＲＯＭであり放電管３１０Ａ，３１０Ｂをフル発光させた場合の積分回路３３７Ａ，３３７Ｂの最大積分値等を記憶する。
【００４１】
次に閃光装置マイコン３３８の各端子の説明を行う。ＣＬＫ，ＤＩ，ＤＯは前述したように、不図示のカメラと公知のシリアル通信を行う為の通信端子であり、ＣＬＫにはカメラからの同期クロック信号が入力され、該クロック信号に同期してＤＩ端子にカメラからのシリアルデータが出力され、同時にＤＯ端子からは閃光装置からシリアルデータが出力される。ＣＨＧ（カメラ側Ｓ３）端子は閃光装置の発光可能情報を電流情報としてカメラに通信するための端子であり、Ｘはカメラからの発光開始信号が入力される端子である。ＥＣＫは閃光装置マイコン３３８の外部に接続されたＥＥＰＲＯＭもしくはフラッシュＲＯＭ等の書込可能な記憶手段とシリアル通信を行うための通信クロックを出力するための端子、ＥＤＩは前記記憶手段からのシリアルデータ入力端子、ＥＤＯは前記記憶手段へのシリアルデータ出力端子，ＳＥＬＥは記憶手段との通信を許可するイネーブル端子であり説明上Ｌでイネーブル、Ｈでディセーブルとする。なお、本実施例では閃光装置マイコン３３８の外部に記憶手段を設定したが、閃光装置マイコン３３８に内蔵されていても同じであることは言うまでもない。
【００４２】
ＩＮＴ＿Ａ，ＩＮＴ＿Ｂは積分回路３３７Ａ，３３７Ｂの積分開始、停止を制御する制御出力であり、Ｌで積分開始、Ｈで積分停止とする。ＤＡ＿Ａ，ＤＡ＿Ｂはディジタル・アナログ変換出力端子であり、閃光装置マイコン３３８の内部ディジタルデータをアナログ信号である電圧に変換し、コンパレータ３３１Ａ，３３１Ｂ，３３２Ａ，３３２Ｂの為のコンパレート電圧を出力する。ＡＤ＿Ａ，ＡＤ＿Ｂは積分回路３３７Ａ，３３７Ｂの出力電圧を読み込みマイコン内部で処理する為のディジタルデータに変換するためのアナログ・ディジタル変換の為の端子である。
【００４３】
ＳＥＬ＿Ａ端子は放電管３１０Ａを発光させる場合にＨ、発光させない場合はＬを出力し、ＳＥＬ＿Ｂ端子は放電管３１０Ｂを発光させる場合にＨ、発光させない場合はＬ出力する。ＴＲＩＧ端子はＳＥＬ＿Ａ，ＳＥＬ＿Ｂ端子とのＡＮＤでトリガ手段３１１Ａ，３１１Ｂへの発光開始信号を出力する端子、ＩＮ＿Ａ，ＩＮ＿Ｂ端子はデータセレクタ３３０Ａ，３３０Ｂの出力端子Ｙの状態を閃光装置マイコン３３８が検出する端子、ＡＤＩは前述のように主コンデンサ３０３の高電圧を抵抗３０４，３０５で分圧した電圧を入力して、閃光装置マイコン３３８内部で処理する為のディジタルデータに変換するアナログ・ディジタル変換入力端子、ＣＮＴは昇圧手段の発振・停止を制御する為の制御出力端子であり、前述ＡＤＩでモニタした主コンデンサ３０３の充電電圧や、閃光装置の動作状況に応じ昇圧手段３０２の動作を制御する。
【００４４】
（調整）
次に閃光装置の調整時におけるフル発光時の最大積分値の記憶、プリ発光であるフラット発光時の光量調整について以下に説明する。
【００４５】
（フル発光時の最大積分値の記憶）
放電管３１０Ａ，３１０Ｂの各放電管をフル発光させた場合における、積分回路３３７Ａ，３３７Ｂの出力の最大値（最大積分値）を記憶する処理を図１０のフローにそって説明する。
【００４６】
Ｓ１００１でスタート、Ｓ１００２で閃光装置マイコン３３８のＤＡコンバータ端子のＤＡ＿Ａ，ＤＡ＿Ｂに最大値を設定する。Ｓ１００３で放電管３１０Ａの最大積分値を記憶するならＳ１００４に進み、放電管３１０Ｂの最大積分値を記憶するならＳ１００５に進む。Ｓ１００４ではＳＥＬ＿Ａ，ＳＥＬ＿Ｂ端子にＨ，Ｌを出力し放電管３１０Ａのみ発光を許可する。Ｓ１００５ではＳＥＬ＿Ａ，ＳＥＬ＿Ｂ端子にＬ，Ｈを出力し放電管３１０Ｂのみ発光を許可する。
【００４７】
Ｓ１００６ではＸ０，Ｘ１の各端子にＨ，Ｌを出力する事によりデータセレクタ３３０Ａ，３３０ＢはＤ１入力が選択される。この時放電管３１０Ａ，３１０Ｂは未発光状態なので、放電管を直接モニタしているセンサ３３５Ａ，３３５Ｂには高電流はほとんど流れず、また積分回路３３７Ａ，３３７Ｂは積分を禁止しているので、コンパレータ３３２Ａ，３３２Ｂの出力はＨであり、データセレクタ３３０Ａ，３３０Ｂを通して発光制御回路３１２Ａ又は３１２ＢのＩＧＢＴは導通状態となる（ＳＥＬ＿Ａ又はＳＥＬ＿ＢがＬであれば、ＥＮ端子がＬとなったデータセレクタのＹ出力はＬのままでＩＧＢＴは非導通状態である）。Ｓ１００７でＴＲＩＧ端子に所定時間Ｈを出力する、ＳＥＬ＿ＡがＨならトリガ手段３１１Ａから、ＳＥＬ＿ＢがＨならトリガ手段３１１Ｂから高圧を発生し、トリガ手段から高圧を受けた放電管３１０Ａ，３１０Ｂは発光を開始する。Ｓ１００８でＴＲＩＧ＝Ｈから所定時間後ウエイトし、Ｓ１００９では閃光装置マイコン３３８のＩＮＴ＿Ａ，ＩＮＴ＿Ｂ端子をＬに設定し、積分回路３３７Ａ，３３７Ｂは積分を開始する。Ｓ１０１０で発光が完全に終了する時間ウエイトした後、Ｓ１０１１でＩＮＴ＿Ａ，ＩＮＴ＿Ｂ端子をＨにして積分を停止する。Ｓ１０１２でＡＤ＿Ａ，ＡＤ＿Ｂ端子から発光した放電管に対応する積分回路３３７Ａ，３３７Ｂの出力をＡＤ変換する。Ｓ１０１３ではＳ１０１２にてＡＤ変換した値をＩＮＴ＿ＦＵＬＬＡ，ＩＮＴ＿ＦＵＬＬＢとして記憶手段であるＥＥＰＲＯＭ３４０に書込み記憶する。Ｓ１０１４で終了する。
【００４８】
（フラット発光光量調整）
次にプリ発光であるフラット発光時の光量調整動作を図１１のフローに沿って説明する。
【００４９】
Ｓ２００１でスタート、Ｓ２００２では放電管３１０Ａのフラット発光光量を調整する場合にはＳ２００３に進み、放電管３１０Ｂを調整する場合はＳ２００５に進む。Ｓ２００３ではＳＥＬ＿Ａ，ＳＥＬ＿ＢにＨ，Ｌを出力し放電管３１０Ａのみ発光を許可する。Ｓ２００４ではフラット発光の基準となるＤＡ値ＤＡ＿ＰＡをＤＡ＿Ａ端子から出力する。Ｓ２００５ではＳＥＬ＿Ａ，ＳＥＬ＿Ｂ端子にＬ，Ｈを出力し放電管３１０Ｂのみ発光を許可する。Ｓ２００６ではフラット発光の基準となるＤＡ値ＤＡ＿ＰＢをＤＡ＿Ｂ端子から出力する。尚フラット発光の基準値ＤＡ＿ＰＡ，ＤＡ＿ＰＢの値はＥＥＰＲＯＭ３４０に記憶されている値である。
【００５０】
Ｓ２００７でＸ０，Ｘ１端子にＬ，Ｈを出力することによりデータセレクタ３３０Ａ，３３０ＢはＤ２入力が選択される。この時放電管は未発光状態であるので、放電管を直接モニタしているセンサ３３３Ａ，３３３Ｂには光電流はほとんど流れず、コンパレータ３３１Ａ，３３１Ｂの出力はＨであり、データセレクタ３３０Ａ，３３０Ｂを通して発光制御回路３１２Ａ，３１２ＢのＩＧＢＴは導通状態となる（ＳＥＬ＿Ａ又はＳＥＬ＿ＢがＬであれば、ＥＮ端子がＬとなったデータセレクタのＹ出力はＬのままでＩＧＢＴは非導通状態である）。同時にＳ２００８で閃光装置マイコン３３８のＴＲＩＧ端子を所定時間Ｈに設定することによりＳＥＬ＿ＡがＨならトリガ手段３１１Ａから、ＳＥＬ＿ＢがＨならトリガ手段３１１Ｂから高圧が発生し、トリガ手段から高圧をうけた放電管３１０Ａ，３１０Ｂは発光を開始する。Ｓ２００９で所定時間ウエイトした後、Ｓ２０１０でＩＮＴ＿Ａ，ＩＮＴ＿Ｂ端子をＬにして積分を開始する。Ｓ２０１１でフラット発光の発光時間を制御するタイマをスタートする。
【００５１】
発光開始後、放電管３１０Ａ，３１０Ｂをモニタしているセンサ３３３Ａ，３３３Ｂは、放電管３１０Ａ，３１０Ｂの発生光に応じて光電流が流れ、受光回路３３４Ａ，３３４Ｂの出力電圧がＤＡ＿Ａ，ＤＡ＿Ｂに出力された制御電圧より高くなると、コンパレータ３３１Ａ，３３１Ｂの出力はＬレベルに反転し、発光制御回路３１２Ａ，３１２ＢのＩＧＢＴは遮断状態となり、コイル３０８Ａ，３０８Ｂに蓄積されたエネルギーは放電管３１０Ａ，３１０Ｂからダイオード３０９Ａ，３０９Ｂを通して環流され放電管３１０Ａ，３１０Ｂを流れる電流は次第に減少する。同時に発光量も減少し、所定光量以下になり受信回路３３４Ａ，３３４Ｂの出力がＤＡ＿Ａ，ＤＡ＿Ｂで設定した値より低くなるとコンパレータ３３１Ａ，３３１Ｂは再び反転しＨレベルになり、発光制御回路３１２Ａ，３１２ＢのＩＧＢＴは再び導通状態となり、放電管３１０Ａ，３１０Ｂの発生光は増加する。以上のプロセスを繰り返し、フラット発光はほぼ一定の発光強度に維持される。
【００５２】
そしてＳ２０１２で所定時間の経過を判断するとＳ２０１３に進み、Ｓ２０１３で閃光装置マイコン３３８はＸ０，Ｘ１端子をＬ，Ｌと設定し発光制御回路３１２Ａ，３１２ＢのＩＧＢＴは強制的に遮断され、発光は停止する。
【００５３】
発光終了時に、Ｓ２０１４でＩＮＴ＿Ａ，ＩＮＴ＿Ｂ端子をＨとして積分を停止し、Ｓ２０１５で閃光装置マイコン３３８は、プリ発光を積分した積分回路３３７Ａ，３３７Ｂの出力をＡ／Ｄ入力端子ＡＤ＿Ａ，ＡＤ＿Ｂ端子から読み込み、Ａ／Ｄ変換しこのときの値をＩＮＴ＿Ｐとする。
【００５４】
Ｓ２０１６で放電管３１０Ａが選択されていればＳ２０１７に進み、放電管３１０Ｂが選択されていればＳ２０１８に進む。
【００５５】
Ｓ２０１７では積分値ＩＮＴ＿Ｐが図１０のＳ１０１３で記憶したＩＮＴ＿ＦＵＬＬＡと比較してＩＮＴ＿Ｐ＝ＩＮＴ＿ＦＵＬＬＡ／Ｎとなるようにオーバー分アンダー分を演算しＤＡ＿ＰＡに補正値を加えたものを調整後のＤＡ＿ＰＡとする。
【００５６】
Ｓ２０１８では積分値ＩＮＴ＿Ｐが図１０のＳ１０１３で記憶したＩＮＴ＿ＦＵＬＬＢと比較してＩＮＴ＿Ｐ＝ＩＮＴ＿ＦＵＬＬＢ／Ｎとなるようにオーバー分アンダー分を演算しＤＡ＿ＰＢに補正値を加えたものを調整後のＤＡ＿ＰＢとする。Ｓ２０１９で補正されたＤＡ＿ＰＡ，ＤＡ＿ＰＢに書き込む。Ｓ２０２０で終了する。
【００５７】
本実施の形態ではフル発光に対するプリ発光の光量調整を閃光装置内部の積分回路を使用しているので、別途外部に既存の光量計を用いて調整をする必要がなくなる。もちろん既存の光量計を用いて調整してもかまわない。
【００５８】
また、プリ発光の光量調整手段としてＤＡ＿Ａ，ＤＡ＿Ｂ端子の出力を変化させているが、ＤＡ＿Ａ、ＤＡ＿Ｂ端子の出力を一定にして受光回路３３４Ａ，３３４Ｂの出力を調整してもよい。
【００５９】
（発光時の処理）
実際に撮影を行う場合のカメラからの発光指示による閃光装置の発光処理を図１２のフローにそって説明する。カメラからの発光指示で閃光装置は発光処理をスタートする（Ｓ３００１）。Ｓ３００２においてプリ発光を行うかを判別し、プリを行う場合はＳ３００３へ進み、行わない場合はＳ３００４に進む。Ｓ３００３ではプリの発光処理を行いＳ３００５に進む。Ｓ３００４ではメイン発光処理を行い終了後Ｓ３００５に進む。Ｓ３００５で発光処理ルーチンを終了する。
【００６０】
（プリフラット発光処理）
次にプリ発光であるフラット発光時の動作を図１３のフローにそって説明する。カメラマイコン１００からプリ発光命令を受けるとフラット発光処理を開始し（Ｓ３１０１）、Ｓ３１０２で放電管３１０Ａが発光するか判定し、発光すればＳ３１０３へ進み、しなければＳ３１０６へ進む。Ｓ３１０３では放電管３１０Ｂが発光するか判定し、発光すればＳ３１０４へ進み、しなければＳ３１０８へ進む。
【００６１】
Ｓ３１０６では放電管３１０Ｂの１灯のみの発光となりプリ発光の光量は記憶手段３４０で記憶されたＤＡ＿ＰＢをＤＡ＿Ｂ端子に設定しＳ３１０７へ進む。Ｓ３１０７では閃光装置マイコン３３８のＳＥＬ＿Ａ，ＳＥＬ＿Ｂ端子をＬ，Ｈと設定し放電管３１０Ｂのみの発光を許可する。
【００６２】
Ｓ３１０８では放電管３１０Ａの１灯のみの発光となりプリ発光の光量は記憶手段３４０で記憶されたＤＡ＿ＰＡをＤＡ＿Ａ端子に設定しＳ３１０９へ進む。
Ｓ３１０９では閃光装置マイコン３３８のＳＥＬ＿Ａ，ＳＥＬ＿Ｂ端子をＨ，Ｌと設定し放電管３１０Ａのみの発光を許可する。
【００６３】
Ｓ３１０４では放電管３１０Ａ，３１０Ｂの２灯が発光となりプリ発光の光量は記憶手段３４０で記憶されたＤＡ＿ＰＡの一段落ちのＤＡ値（放電管３１０Ａの１灯でのプリ発光光量／２となる値）をＤＡ＿Ａ端子に設定し、ＤＡ＿ＰＢの一段落ちのＤＡ値（放電管３１０Ｂの１灯でのプリ発光光量／２となる値）をＤＡ＿Ｂ端子に設定しＳ３１０５へ進む。２灯プリ発光時の放電管３１０Ａのプリ発光波形（図９の３ａ）、放電管３１０Ｂのプリ発光発光波形（図９の３ｂ）の様に発光強度Ｈ３Ａ，Ｈ３Ｂは１灯時のプリ発光の発光強度Ｈ１の１／２となり、主コンデンサの充電電圧も３ｃの様に発光可能電圧（図９の３ｃの点線）未満にならない。
【００６４】
Ｓ３１０５では閃光装置マイコン３３８のＳＥＬ＿Ａ，ＳＥＬ＿Ｂ端子をＨ，Ｈと設定し放電管３０１Ａ，３１０Ｂ両方の発光を許可する。Ｓ３１１０ではＸ０，Ｘ１端子にＬ，Ｈを出力することによりデータセレクタ３３０Ａ，３３０ＢはＤ２入力が選択される。この時放電管は未発光状態であるので、放電管を直接モニタしているセンサ３３３Ａ，３３３Ｂには光電流はほとんど流れず、コンパレータ３３１Ａ，３３１Ｂの出力はＨであり、データセレクタ３３０Ａ，３３０Ｂを通して制御回路３１２Ａ，３１２ＢのＩＧＢＴは導通状態となる（ＳＥＬ＿Ａ又はＳＥＬ＿ＢがＬであれば、ＥＮ端子がＬとなったデータセレクタのＹ出力はＬのままでＩＧＢＴは非導通状態である）。
【００６５】
Ｓ３１１１で閃光装置マイコン３３８のＴＲＩＧ端子を所定時間Ｈに設定することによりＳＥＬ＿ＡがＨならトリガ手段３１１Ａから、ＳＥＬ＿ＢがＨならトリガ手段３１１Ｂから高圧が発生し、トリガ手段から高圧を受けた放電管３１０Ａ，３１０Ｂは発光を開始する。
【００６６】
Ｓ３１１２で所定時間ウエイトする。Ｓ３１１３ではＩＮＴ＿Ａ，ＩＮＴ＿Ｂ端子をＬにし積分をスタートする。Ｓ３１１２でトリガ信号を出力したあとウエイトするのは積分回路３１７Ａ，３１７Ｂにトリガノイズが乗ることを防止するためである。
【００６７】
Ｓ３１１４でフラット発光の発光時間を決定するタイマをスタートさせる。発光が始まると放電管３１０Ａ，３１０Ｂをモニタしているセンサ３３３Ａ，３３３Ｂは、放電管３１０Ａ，３１０Ｂの発生光に応じて光電流が流れ、受光回路３３４Ａ，３３４Ｂの出力電圧がＤＡ＿Ａ，ＤＡ＿Ｂ端子に出力された制御電圧より高くなると、コンパレータ３３１Ａ，３３１Ｂの出力はＬレベルに反転し、発光制御回路３１２Ａ，３１２ＢのＩＧＢＴは遮断状態となり、コイル３０８Ａ，３０８Ｂに蓄積されたエネルギーは放電管３１０Ａ，３１０Ｂからダイオード３０９Ａ，３０９Ｂを通して環流され放電管３１０Ａ，３１０Ｂを流れる電流は次第に減少する。同時に発光量も減少し、所定光量以下になり受信回路３３４Ａ，３３４Ｂの出力がＤＡ＿Ａ，ＤＡ＿Ｂ端子で設定した値より低くなるとコンパレータ３３１Ａ，３３１Ｂは再び反転しＨレベルになり、発光制御回路３１２Ａ，３１２ＢのＩＧＢＴは再び導通状態となり、放電管３１０Ａ，３１０Ｂの発生光は増加する。以上のプロセスを繰り返し、フラット発光はほぼ一定の発光強度に維持される。
【００６８】
Ｓ３１１５ではフラット発光の発光時間が経過するとＳ３１１６に進み、Ｓ３１１６では閃光装置マイコン３３８はＸ０，Ｘ１端子をＬ，Ｌと設定し発光制御回路３１２Ａ，３１２ＢのＩＧＢＴは強制的に遮断され、発光は停止する。Ｓ３１１７ではＩＮＴ＿Ａ，ＩＮＴ＿Ｂ端子をＨとし積分を停止する。
【００６９】
Ｓ３１１８ではプリ発光を積分した積分回路３３７Ａ，３３７Ｂの出力をＡ／Ｄ入力端子ＡＤ＿Ａ，ＡＤ＿Ｂから読み込み、Ａ／Ｄ変換し、積分値、すなわちプリ発光時の発光量をディジタル値（ＩＮＴ＿ＰＡ，ＩＮＴ＿ＰＢ）として読みとる事ができる。Ｓ３１１９でプリ発光処理を終了する。
【００７０】
（メイン発光処理）
カメラマイコン１００は、プリ発光時の多分割測光センサ７からの被写体反射光輝度値等から、メイン発光量のプリ発光に対する適正相対値（γ）を求め、閃光装置マイコン３３８に送り、発光指示を出力すると、閃光装置マイコン３３８はメイン発光処理を開始する。以下図１４のフローチャートにそって説明する。
【００７１】
Ｓ３２０１でメイン発光処理を開始、Ｓ３２０２で放電管３１０Ａが発光するか判定し、発光すればＳ３２０３へ進み、しなければＳ３２０６へ進む。Ｓ３２０３では放電管３１０Ｂが発光するか判定し、発光すればＳ３２０４へ進み、しなければＳ３２０８へ進む。
【００７２】
Ｓ３２０６では放電管３１０Ｂ一灯のメイン発光となり閃光装置マイコン３３８は、プリ発光時の測光積分値（ＩＮＴ＿ＰＢ）にカメラ本体からの適正相対値（γ）の値を掛け合わせ適正積分値（ＩＮＴ＿ＭＢ）を求め、ＤＡ＿Ｂ出力に適正積分値（ＩＮＴ＿ＭＢ）を設定しＳ３２０７へ進む。Ｓ３２０７では閃光装置マイコン３３８のＳＥＬ＿Ａ，ＳＥＬ＿Ｂ端子をＬ，Ｈと設定し放電管３１０Ｂのみの発光を許可する。
【００７３】
Ｓ３２０８では放電管３１０Ａ一灯のメイン発光となり閃光装置マイコン３３８は、プリ発光時の測光積分値（ＩＮＴ＿ＰＡ）にカメラ本体からの適正相対値（γ）の値を掛け合わせ適正積分値（ＩＮＴ＿ＭＡ）を求め、ＤＡ＿Ａ出力に適正積分値（ＩＮＴ＿ＭＡ）を設定しＳ３２０９へ進む。Ｓ３２０９では閃光装置マイコン３３８のＳＥＬ＿Ａ，ＳＥＬ＿Ｂ端子をＨ，Ｌと設定し放電管３１０Ａのみの発光を許可する。
【００７４】
Ｓ３２０４では放電管３１０Ａ，３１０Ｂ両灯のメイン発光となり閃光装置マイコン３３８は、ＤＡ＿Ａ出力にプリ発光時の測光積分値（ＩＮＴ＿Ａ）にカメラ本体からの適正相対値（γ）の値を掛け合わせた値の一段落ちの適正積分値（ＩＮＴ＿ＭＡ）を求め設定し、ＤＡ＿Ｂ出力にプリ発光時の測光積分値（ＩＮＴ＿Ｂ）にカメラ本体からの適正相対値（γ）の値を掛け合わせた値の一段落ちの適正積分値（ＩＮＴ＿ＭＢ）を求め設定する。Ｓ３２０５ではＳＥＬ＿Ａ，ＳＥＬ＿Ｂ端子にＨ，Ｈを設定し放電管３１０Ａ，３１０Ｂ両灯の発光を許可する。
【００７５】
Ｓ３２１０ではＸ０，Ｘ１端子にＨ，Ｌを出力することによりデータセレクタ３３０Ａ，３３０ＢはＤ１入力が選択される。この時放電管３１０Ａ，３１０Ｂは未発光状態なので、放電管を直接モニタしているセンサ３３５Ａ，３３５Ｂには高電流はほとんど流れず、また積分回路３３７Ａ，３３７Ｂは積分を禁止しているので、コンパレータ３３２Ａ，３３２Ｂの出力はＨであり、データセレクタ３３０Ａ，３３０Ｂを通して発光制御回路３１２Ａ，３１２ＢのＩＧＢＴは導通状態となる（ＳＥＬ＿Ａ又はＳＥＬ＿ＢがＬであれば、ＥＮ端子がＬとなったデータセレクタのＹ出力はＬのままでＩＧＢＴは非導通状態である）。Ｓ３２１１で閃光装置マイコン３３８のＴＲＩＧ端子を所定時間Ｈに設定することにより、ＳＥＬ＿ＡがＨならトリガ手段３１１Ａから、ＳＥＬ＿ＢがＨならトリガ手段３１１Ｂから高圧が発生し、トリガ手段から高圧をうけた放電管３１０Ａ，３１０Ｂは発光を開始する。Ｓ３２１２で所定時間ウエイト後、Ｓ３２１３で閃光装置マイコン３３８のＩＮＴ＿Ａ，ＩＮＴ＿Ｂ端子をＬに設定し、積分回路３３７Ａ，３３７Ｂは積分を開始する。なお、トリガ発生と積分開始のタイミングをずらすのは、放電管の発光はトリガ発生から幾分遅れる為であることに加え、トリガにより発生するノイズを積分回路３３７Ａ、３３７Ｂが誤積分することを防ぐためである。積分量がＤＡ＿Ａ，ＤＡ＿Ｂ端子で設定した所定の制御電圧より高くなると、コンパレータ３３２Ａ，３３２Ｂの出力はＬレベルに反転し、発光制御回路３１２Ａ，３１２ＢのＩＧＢＴは遮断状態となり、コイル８Ａ，８Ｂに蓄積されたエネルギーはダイオード３０９Ａ，３０９Ｂを通して環流され、放電管に流れる電流は急速に減少し、発光は停止する。
【００７６】
Ｓ３２１４で閃光装置マイコン３３８のＩＮ＿Ａ，ＩＮ＿Ｂ端子がＬ，Ｌになり発光が終了したことを検出するとＳ３２１５へ進む。
【００７７】
Ｓ３２１５でＸ０，Ｘ１端子をＬ，Ｌにして発光を完全に停止させる。Ｓ３２１６でＩＮＴ＿Ａ，ＩＮＴ＿Ｂ端子をＨ，Ｈにして積分を停止する。Ｓ３２１７で閃光装置マイコン３３８はＡＤ＿Ａ，ＡＤ＿Ｂ端子から積分回路３３７Ａ，３３７Ｂの積分出力を読み込む。Ｓ３２１８でメイン発光処理を停止する。なお、Ｓ３２１７で積分値を読み込むことによりカメラが指示した値から実際にどれだけ閃光装置の発光量がずれたかを検出する事が可能になる。このようにして、メイン発光を適正な発光量に制御することが出来る。
【００７８】
次に、図６〜図７を用いて本発明を実施した閃光装置カメラシステムの動作フローチャートをカメラマイコン１００の動作を中心に説明する。＃１０１では、図６においてカメラの動作が開始すると、カメラマイコン１００はまずレリーズ釦の第１ストロークでＯＮするＳＷ１を検出する。ＳＷ１を検出するまではこの動作を繰り返し、ＳＷ１を検出すると次のステップに移行する（＃１０１）。
【００７９】
＃１０２では、カメラマイコン１００は、前述の測光回路１０６より画面内複数のエリアの被写体輝度情報をＡ／Ｄ変換により得る。この輝度情報により、後述での露光動作に用いるシャッタースピード、絞り値を演算により求める。＃１０３では、カメラマイコン１００は焦点検出回路１０５を駆動することにより周知の位相差検出法による焦点検出動作を行う。焦点検出するポイント（測距ポイント）は前述したように複数あるため、撮影者が任意に測距ポイントを設定できる方式の場合と、近点優先を基本の考え方とした周知の自動選択アルゴリズム方式の場合等がある。
【００８０】
＃１０４では、選択された測距ポイントが合焦となるように、カメラマイコン１００はレンズ側と通信を行うことによってレンズの焦点調節を行う。また、レンズ合焦位置の絶対距離情報を通信によってカメラマイコン１００は得ることが出来る。
【００８１】
＃１０５では、カメラマイコン１００は、レリーズ釦の第２ストロークでＯＮするＳＷ２がＯＮであるかどうかを判別する。ＯＦＦであれば、ステップ１０１〜１０４までの動作を繰り返し、ＳＷ２がＯＮであれば、ステップ１０６以下のレリーズ動作に進む。
【００８２】
＃１０６では、レリーズ動作にはいるとまず、後述の閃光装置の発光量演算サブルーチンをコールする。そして、＃１０７で、露光動作を行い、＃１０８で終了する。
【００８３】
ここで図７を用い、閃光装置発光量演算サブルーチンを説明する。＃２０１では、カメラマイコン１００は、プリ発光の直前に被写体輝度を測光回路１０６により得る。その輝度値はそれぞれのエリア毎に、
ＥＶａ（ｉ）  ｉ＝０〜１８
として、ＲＡＭに記憶させる。
【００８４】
＃２０２では、カメラマイコン１００は、閃光装置側に対してプリ発光の命令を行う。閃光装置マイコン３３８はこの命令に従って、前述したようにプリ発光動作を行う。
【００８５】
カメラマイコン１００は、プリ発光のフラット発光が持続している間に被写体輝度を測光回路１０６により得る。その輝度値はそれぞれのエリア毎に、
ＥＶｆ（ｉ）  ｉ＝０〜１８
として、ＲＡＭに記憶させる。
【００８６】
＃２０３では、カメラマイコン１００は、ＥＶａとＥＶｆからプリ発光反射光分のみの輝度値を抽出する。
【００８７】
ＥＶｄｆ(ｉ)＝ＥＶｆ(ｉ)−ＥＶａ(ｉ)  ｉ＝０〜１８
として、ＲＡＭに記憶させる。
【００８８】
＃２０４では、カメラマイコン１００は、閃光装置光量を適正に制御するために演算を行う中心のエリアを選出する。このエリアの選出には、前述の測距ポイントをそのまま採用する方法もあるし、カメラに再至近の被写体のエリアを示すＥＶｄｆの値が最大となるエリアを選出する方法等がある。エリアを選出すると後述の重み付け演算をするのに用いる他のエリアを図５のように選出する。他のエリアは、演算を行う中心のエリアに隣り合うエリアとしているが、当然これに限るものでなく、残りの全てのエリアとしても良い。また、演算を行う中心のエリアも２つ以上のエリアを選出することもあり得る。
【００８９】
＃２０５では、カメラマイコン１００は、被写体の距離に関する情報から重み付け係数ａ，ｂを演算し決定する。この被写体の距離に関する情報は、＃２０４で選出されたエリアのＥＶｄｆの値を用いる。ＥＶｄｆは、プリ発光反射光分のみの輝度値であるので当然ながら距離が２倍になるとＥＶｄｆの値が１／４になるというふうに距離に関するデータである。
【００９０】
図８に重み付け係数ａ，ｂの決定方法をグラフで示してある。係数ａは演算を行う中心のエリアの重み付け係数であり、係数ｂは、その他のエリアの重み付け係数である。
【００９１】
被写体の距離が近くなってＥＶｄｆの値が大きくなるほど、係数ａを小さく係数ｂが大きくしており、逆に距離が遠くなってＥＶｄｒの値が小さくなると係数ａを大きく係数ｂを小さくしている。但し、この係数ａ，ｂの決定は標準的な撮影動作に基づいているため、例えばバウンス閃光装置の撮影や多灯閃光装置、ワイヤレス閃光装置やマクロ撮影等特殊な撮影の時はａ，ｂの値が変わることは充分考えられる。また、この距離に関するデータは、単純にカメラマイコン１００が＃１０４でレンズと通信することによって得た絶対距離情報を用いることでも良い。
【００９２】
＃２０６では、カメラマイコン１００は、重み付け平均を行う選択されたエリアに対して、それぞれ適正となる閃光装置光量の演算を行う。
【００９３】
Ｐ＝｛ＴＧＴ−ＥＶａ(ｉ)｝／ＥＶｄｆ（ｉ）
ＴＧＴ：適正露光量
ＥＶａ：外光による被写体の輝度
ＥＶｄｆ：プリ発光反射光分のみの輝度
Ｐ：それぞれのエリアの適正となる閃光装置光量
そしてそれぞれのエリアのＰの値より、選択された中心のエリアのＰ（Ｐ１）とその他のエリアのＰ（Ｐ２）を単純な平均で求める（選択された中心のエリアが１つであれば平均といってもそのもの値である）。
【００９４】
さらに次の式に従って重み付け平均を行う。
【００９５】
Ｗave＝ａ×Ｐ１＋ｂ×Ｐ２  （ａ、ｂとも≦１）
＃２０７では、カメラマイコン１００は、Ｗaveの値を適正相対値（γ）に変換する演算を行い、閃光装置側に通信によりγの値を送る。ここで閃光装置発光量演算サブルーチンを終え、図６に戻る。
【００９６】
＃１０７では、カメラマイコン１００は、露光動作を行う。すなわち、主ミラー２をアップさせサブミラー２５ともども撮影光路より退去させ、レンズを制御して絞りを制御し、決められたシャッタースピード値（ＴＶ）になるようにシャッター制御回路１０７を制御する。このときシャッターの全開に同期してＳＷＸがＯＮし、閃光装置側に伝わり、これがメイン発光の命令となる。閃光装置マイコン３３８は、カメラから送られてきたγに基づいて適正な量に前述のようなメイン発光制御行う。
【００９７】
最後は、撮影光路より退去された主ミラー２等をダウンし再び撮影光路へ斜設させ、モータ制御回路１０８とフィルム走行検知回路１０９により、フィルムを１駒巻き上げる。
【００９８】
上記発明によりＭ個（Ｍ＝２）の放電管を有する閃光装置において、Ｍ個の放電管でプリ発光を行う場合、各放電管は各放電管をフル発光させた時の光量／（Ｍ×Ｎ）の光量でプリ発光することが可能になる。
【００９９】
（第２の実施の形態）
本発明の第２の実施の形態のカメラ閃光装置システムの構成は図１，２，３の第１の実施の形態と同じで、カメラ側の動作も第１の実施の形態と同じである。差異であるプリ発光の光量調整を図１１，１５にそって説明する。
【０１００】
第１の実施の形態では放電管３１０Ａ，３１０Ｂのプリ発光の発光量は放電管３１０Ａ，３１０Ｂ各々のフル発光の１／Ｎの光量となるように調整したが、本実施の形態では、放電管Ａ、放電管Ｂ両方を同時にフル発光した場合の１／Ｎとなるように放電管３１０Ａ，３１０Ｂの光量を調整する。以下順を追って説明する。
【０１０１】
（フル発光光量）
放電管３１０Ａ，３１０Ｂ同時にフル発光させる場合の処理を図１５のフローで説明する。Ｓ１１０２で閃光装置マイコン３３８のＤＡ＿Ａ，ＤＡ＿Ｂ端子に最大値を設定する。Ｓ１１０３でＳＥＬ＿Ａ，ＳＥＬ＿Ｂ端子にＨ，Ｈを設定し放電管３１０Ａ，３１０Ｂ両灯の発光を許可する。Ｓ１１０４でＸ０，Ｘ１端子にＨ，Ｌを設定しデータセレクタ３３０Ａ，３３０ＢにＤ１を選択させる。Ｓ１１０５でＴＲＩＧ端子にＨを所定時間出力しトリガ手段３１１Ａ，３１１Ｂより高圧を発生させ、放電管３１０Ａ，３１０Ｂの発光を開始させる。Ｓ１１０６でフル発光が終了する時間だけウエイトする、Ｓ１１０７でＸ０，Ｘ１端子をＬ，Ｌとし発光制御回路３１２Ａ，３１２ＢのＩＧＢＴを遮断状態とし発光を完全に停止させ、Ｓ１１０８で処理を終了する。このときのフル発光光量を既存の光量計を用いて測定しＭＡＸ＿ＦＬとする。
【０１０２】
（プリ発光光量）
プリ発光の光量調整の動作は第１の実施の形態図１１のフローとほぼ同じであるが、差異としては各放電管のプリ発光を既存の光量計を用いて測定しておきプリ発光光量をＰＡ＿ＦＬ，ＰＢ＿ＦＬとし、図１１のＳ２０１７のＤＡ＿ＰＡの演算では、測定したからプリ発光光量ＰＡ＿ＦＬからプリ発光光量がＭＡＸ＿ＦＬ／ＮとなるようにをＤＡ＿ＰＡに補正値を加え、補正後のＤＡ＿ＰＡを演算する。Ｓ２０１８のＤＡ＿ＰＢの演算では、測定したプリ発光光量ＰＢ＿ＦＬからプリ発光光量がＭＡＸ＿ＦＬ／ＮとなるようにをＤＡ＿ＰＢに補正値を加え、補正後のＤＡ＿ＰＢを演算する。
【０１０３】
上記実施の形態によりＭ個（Ｍ＝２）の放電管を有する閃光装置において、Ｍ個の放電管でプリ発光を行う場合、各放電管をＭ個の放電管をフル発光させた時の光量／（Ｍ×Ｎ）の光量でプリ発光することが可能になる。
【０１０４】
（第３の実施の形態）
本発明の第３の実施の形態のカメラ閃光装置システムの構成は図１，２，３と同じで、カメラ側の動作も第１の実施の形態と同じである。差異である撮影時の閃光装置の動作を以下に説明する。
【０１０５】
図１６は第３の実施の形態のプリ発光時動作のフローチャートであるが、第１の実施の形態でのプリ発光動作フロー図１３との差異はＳ３３０４，Ｓ３３０６，Ｓ３３０８においてＤＡ＿Ａ，ＤＡ＿Ｂ端子に設定する値を演算するときに閃光装置マイコン３３８のＡＤＩ端子でプリ発光前の主コンデンサ３の充電電圧をモニタした値によりフル充電以下の場合は電圧補正分（ＶＣＯＭＰ）を加え、
Ｓ３３０６では
ＤＡ＿Ｂ  ＝ＤＡ＿ＰＢ  ＋  ＶＣＯＭＰ
Ｓ３３０８では
ＤＡ＿Ａ  ＝ＤＡ＿ＰＡ  ＋  ＶＣＯＭＰ
Ｓ３３０４では
ＤＡ＿Ａ  ＝ＤＡ＿ＰＡ  −  １段  ＋  ＶＣＯＭＰ
ＤＡ＿Ｂ  ＝ＤＡ＿ＰＢ  −  １段  ＋  ＶＣＯＭＰ
としてプリ発光光量を下げる。
【０１０６】
電圧補正分（ＶＣＯＭＰ（段数））はフル充電電圧をＶＭＡＸ、プリ発光前の電圧をＶｐとすると
ＶＣＯＭＰ  ＝  Ｌｏｇ２（Ｖｐ２／  ＶＭＡＸ２）  となる。
またこの補正量は充電電圧に対応したテーブルから参照してもよい。
【０１０７】
次にメイン発光時の処理のフローチャートを図１７にそって説明する。第１の実施の形態のメイン発光処理図１４との差異はＳ３４０４，Ｓ３４０６，Ｓ３４０８においてメイン発光時のＤＡ＿Ａ，ＤＡ＿Ｂ端子に設定する値を演算するときにプリ発光時に演算した電圧補正分（ＶＣＯＭＰ）を加えプリ発光光量を下げる。
【０１０８】
Ｓ３４０６では
ＤＡ＿Ｂ  ＝  γ×ＩＮＴ＿ＰＢ  ＋  ＶＣＯＭＰ
Ｓ３４０８では
ＤＡ＿Ａ  ＝  γ×ＩＮＴ＿ＰＡ  ＋  ＶＣＯＭＰ
Ｓ３４０４では
ＤＡ＿Ａ  ＝  γ×ＩＮＴ＿ＰＡ  ＋  １段  −  ＶＣＯＭＰ
ＤＡ＿Ｂ  ＝  γ×ＩＮＴ＿ＰＢ  ＋  １段  −  ＶＣＯＭＰ
としてメイン発光量を決定する。
【０１０９】
上記実施の形態により、Ｍ個（Ｍ＝２）の放電管を有する閃光装置において、Ｍ個の放電管でプリ発光を行う場合、各放電管は各放電管を主コンデンサの充電電圧に応じてフル発光させた時の光量／（Ｍ×Ｎ）の光量でプリ発光することが可能になる。
【０１１０】
【発明の効果】
以上のように、複数個の発光手段でプリ発光する場合も、１個の発光手段でプリ発光する場合とほぼ同等のエネルギーを主コンデンサから消費することになり、メイン発光時に主コンデンサの充電電圧が発光可能電圧未満になりメイン発光ができなくなることを防止できる。
【図面の簡単な説明】
【図１】本発明を実施した閃光装置カメラシステムの横断面図である。
【図２】本発明を実施した閃光装置カメラシステムのカメラ本体の電気回路ブロック図である。
【図３】本発明を実施した閃光装置カメラシステムの閃光装置の電気回路ブロック図である。
【図４】本発明を実施した閃光装置カメラシステムの測光回路の画面分割図である。
【図５】本発明を実施した閃光装置カメラシステムの重み付け平均を行うエリア選出表を示す図である。
【図６】本発明を実施した第１の実施の形態における閃光装置カメラシステムのフローチャートである。
【図７】本発明を実施した第１の実施の形態における閃光装置カメラシステムのフローチャートである。
【図８】重み付け係数の決定グラフを表した図である。
【図９】従来例と本発明におけるプリ発光の閃光波形と主コンデンサの充電電圧を表した図である。
【図１０】本発明を実施した第１の実施の形態の調整時における各放電管のフル発光動作を示したフローチャートである。
【図１１】本発明を実施した第１、第２の実施の形態の調整時におけるプリ発光動作を示したフローチャートである。
【図１２】本発明を実施した閃光装置の撮影時の発光動作を示すフローチャートである。
【図１３】本発明を実施した閃光装置の撮影時のプリ発光動作を示したフローチャートである。
【図１４】本発明を実施した閃光装置の撮影時のメイン発光動作を示したフローチャートである。
【図１５】本発明を実施した第２の実施の形態の調整時における全ての放電管のフル発光動作を示したフローチャートである。
【図１６】本発明を実施した第３の実施の形態のプリ発光の動作を示したフローチャートである。
【図１７】本発明を実施した第３の実施の形態のメイン発光の動作を示したフローチャートである。
【符号の説明】
１００  カメラマイコン
３０３  主コンデンサ
３０４，３０５  分圧抵抗
３０８Ａ，３０８Ｂ  電流制限コイル
３１０Ａ，３１０Ｂ  放電管
３３８  閃光装置マイコン
【図１】
0004724333.tif 000002
【図２】
0004724333.tif 000003
【図３】
0004724333.tif 000004
【図４】
0004724333.tif 000005
【図５】
0004724333.tif 000006
【図６】
0004724333.tif 000007
【図７】
0004724333.tif 000008
【図８】
0004724333.tif 000009
【図９】
0004724333.tif 000010
【図１０】
0004724333.tif 000011
【図１１】
0004724333.tif 000012
【図１２】
0004724333.tif 000013
【図１３】
0004724333.tif 000014
【図１４】
0004724333.tif 000015
【図１５】
0004724333.tif 000016
【図１６】
0004724333.tif 000017
【図１７】
0004724333.tif 000018